(57)【要約】【課題】無線通信の性能の向上が可能な照明器具を提供する。【解決手段】照明器具１０は、照明器具本体２０と、照明器具本体２０の外部から無線送信される第一制御信号を受信し、第一制御信号に応じて第二制御信号を無線送信する第一無線通信装置３０とを備える。照明器具本体２０は、光源２１と、無線送信された第二制御信号を受信する第二無線通信装置２２と、第二無線通信装置２２に電気的に接続され、第二無線通信装置２２によって受信された第二制御信号に応じて光源２１の発光制御を行う発光制御回路２３と、第二無線通信装置２２、及び、発光制御回路２３を収容する筐体２４とを有する。第一無線通信装置３０は、照明器具本体２０に取り付けられる。【選択図】図２
2018185934.tif 000002
【特許請求の範囲】
【請求項１】
照明器具本体と、
前記照明器具本体の外部から無線送信される第一制御信号を受信し、前記第一制御信号に応じて第二制御信号を無線送信する第一無線通信装置とを備え、
前記照明器具本体は、
光源と、
無線送信された前記第二制御信号を受信する第二無線通信装置と、
前記第二無線通信装置に電気的に接続され、前記第二無線通信装置によって受信された前記第二制御信号に応じて前記光源の発光制御を行う発光制御回路と、
前記第二無線通信装置、及び、前記発光制御回路を収容する筐体とを有し、
前記第一無線通信装置は、前記照明器具本体に取り付けられる
照明器具。
【請求項２】
前記第一無線通信装置は、前記照明器具本体に着脱可能に取り付けられる
請求項１に記載の照明器具。
【請求項３】
前記照明器具本体は、前記第一無線通信装置が着脱可能に取り付けられる取付構造を複数箇所に有する
請求項２に記載の照明器具。
【請求項４】
前記第一無線通信装置は、前記第一無線通信装置の電源となる蓄電素子を有する
請求項１〜３のいずれか１項に記載の照明器具。
【請求項５】
前記第一無線通信装置は、発電素子を有し、
前記蓄電素子は、前記発電素子によって発電された電力を蓄える
請求項４に記載の照明器具。
【請求項６】
前記発電素子は、光電変換素子である
請求項５に記載の照明器具。
【請求項７】
前記第一無線通信装置は、前記光電変換素子を、前記光電変換素子の受光面が外部から視認可能な状態で収容する収容体を有する
請求項６に記載の照明器具。
【請求項８】
前記第一無線通信装置は、光を反射して前記受光面に入射させる光反射体を有する
請求項７に記載の照明器具。
【請求項９】
前記第一無線通信装置は、アンテナ素子を有し、
前記光反射体は、前記収容体に立設された板状の部材であり、内部に前記アンテナ素子を収容する
請求項８に記載の照明器具。
【請求項１０】
前記光反射体は、前記光源が発する光を反射して前記受光面に入射させる
請求項８または９に記載の照明器具。
【請求項１１】
前記発電素子は、熱電変換素子である
請求項５に記載の照明器具。
【請求項１２】
前記照明器具本体は、非接触給電装置を有し、
前記第一無線通信装置は、前記非接触給電装置から給電を受けるための受電素子を有し、
前記蓄電素子は、前記受電素子を介して得られる電力を蓄える
請求項４に記載の照明器具。
【請求項１３】
前記第一制御信号のキャリア周波数と前記第二制御信号のキャリア周波数とは異なる
請求項１〜１２のいずれか１項に記載の照明器具。
【請求項１４】
前記第一制御信号のキャリア周波数は、前記第二制御信号のキャリア周波数よりも低い
請求項１３に記載の照明器具。
【発明の詳細な説明】
【技術分野】
【０００１】
本発明は、無線通信機能を有する照明器具に関する。
【背景技術】
【０００２】
従来、無線通信機能を有する照明器具が知られている。例えば、特許文献１には、無線通信の信頼性が向上された照明器具が開示されている。
【先行技術文献】
【特許文献】
【０００３】
【特許文献１】特開２０１７−１０８４８号公報
【発明の概要】
【発明が解決しようとする課題】
【０００４】
無線通信機能を有する照明器具は、無線通信信号が届きにくい場所に設置されている等の理由により、必要な無線通信性能を確保できない場合がある。
【０００５】
本発明は、無線通信の性能の向上が可能な照明器具を提供する。
【課題を解決するための手段】
【０００６】
本発明の一態様に係る照明器具は、照明器具本体と、前記照明器具本体の外部から無線送信される第一制御信号を受信し、前記第一制御信号に応じて第二制御信号を無線送信する第一無線通信装置とを備え、前記照明器具本体は、光源と、無線送信された前記第二制御信号を受信する第二無線通信装置と、前記第二無線通信装置に電気的に接続され、前記第二無線通信装置によって受信された前記第二制御信号に応じて前記光源の発光制御を行う発光制御回路と、前記第二無線通信装置、及び、前記発光制御回路を収容する筐体とを有し、前記第一無線通信装置は、前記照明器具本体に取り付けられる。
【発明の効果】
【０００７】
本発明によれば、無線通信の性能の向上が可能な照明器具が実現される。
【図面の簡単な説明】
【０００８】
【図１】図１は、実施の形態１に係る照明器具の外観斜視図である。
【図２】図２は、実施の形態１に係る照明器具の分解斜視図である。
【図３】図３は、実施の形態１に係る照明器具の機能構成を示すブロック図である。
【図４】図４は、第一無線通信装置の外観斜視図である。
【図５】図５は、光反射体が、光源が発する光を反射して受光面に入射させる例を説明するための側面図である。
【図６】図６は、実施の形態２に係る照明器具の機能構成を示すブロック図である。
【図７】図７は、実施の形態３に係る照明器具の第一の例を示す図（分解斜視図）である。
【図８】図８は、実施の形態３に係る照明器具の第二の例を示す図（斜視図）である。
【図９】図９は、実施の形態３に係る照明器具の第二の例を示す別の図（斜視図）である。
【図１０】図１０は、実施の形態３に係る照明器具の第三の例を示す図（側面図）である。
【発明を実施するための形態】
【０００９】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置および接続形態などは、一例であり、本発明を限定する主旨ではない。また、以下の実施の形態における構成要素のうち、最上位概念を示す独立請求項に記載されていない構成要素については、任意の構成要素として説明される。
【００１０】
なお、各図は、模式図であり、必ずしも厳密に図示されたものではない。また、各図において、実質的に同一の構成に対しては同一の符号を付しており、重複する説明は省略または簡略化される場合がある。また、以下の実施の形態において、平面視とは、光源が有する基板の主面に垂直な方向から見ることを意味する。
【００１１】
（実施の形態１）
［照明器具の構成］
以下、実施の形態１に係る照明器具の構成について説明する。図１は、実施の形態１に係る照明器具の外観斜視図である。図２は、実施の形態１に係る照明器具の分解斜視図である。図３は、実施の形態１に係る照明器具の機能構成を示すブロック図である。なお、図３では、外部無線通信装置４０も図示されている。外部無線通信装置４０は、実施の形態１に係る照明器具１０のリモートコントローラとして用いられる装置であり、例えば、ユーザによって操作される。
【００１２】
図１〜図３に示される照明器具１０は、天井等の構造物に取り付けられて室内を照明する長尺状の照明器具である。照明器具１０は、照明器具本体２０と、第一無線通信装置３０とを備える。照明器具１０は、外部無線通信装置４０から無線送信される第一制御信号が第一無線通信装置３０によって受信されると、第一制御信号に応じて発光する。具体的には、発光制御回路２３は、第一制御信号に応じて光源２１を点灯、消灯、または、調光する。
【００１３】
ここで、照明器具１０は、第一無線通信装置３０を照明器具本体２０に着脱可能（着脱自在）な構造を有し、ユーザは、第一無線通信装置３０の配置を変更することができる。図２に示されるように、第一無線通信装置３０は、例えば、長尺状の筐体２４の一方の端部に設けられた凹部２４ａに取り付けられるが、ユーザは、第一無線通信装置３０を、筐体２４の他方の端部に設けられた凹部２４ｂに取り付けることもできる。凹部２４ａ及び凹部２４ｂは、取付構造の一例である。
【００１４】
このように、第一無線通信装置３０が照明器具本体２０の複数箇所に取り付け可能な構造によれば、外部無線通信装置４０と照明器具１０との無線通信に必要な性能を確保できる位置に第一無線通信装置３０を取り付けることができる。
【００１５】
ここで、照明器具本体２０及び第一無線通信装置３０は、有線接続ではなく無線接続されている。第一無線通信装置３０は、具体的には、発光制御回路２３に電気的に接続された第二無線通信装置２２と無線通信を行う。発光制御回路２３は、外部無線通信装置４０から受信した第一制御信号に応じて第二無線通信装置２２に第二制御信号を無線送信し、発光制御回路２３は、第二無線通信装置２２によって受信された第二制御信号に応じて光源２１の発光制御を行う。このように、照明器具本体２０及び第一無線通信装置３０が無線接続されていることにより、第一無線通信装置３０の配置の自由度が高められる。以下、このような照明器具１０の具体的な構成について説明する。
【００１６】
［第一無線通信装置の構成］
まず、第一無線通信装置３０の構成について、図１〜図３に加えて図４を参照しながら説明する。図４は、第一無線通信装置３０の外観斜視図である。
【００１７】
第一無線通信装置３０は、外部無線通信装置４０（照明器具本体２０の外部）から無線送信される第一制御信号を受信し、第一制御信号に応じて第二制御信号を無線送信する無線通信モジュールである。つまり、第一無線通信装置３０は、制御信号の中継装置として機能する。第一無線通信装置３０は、照明器具本体２０に着脱可能（着脱自在）に取り付けられる。第一無線通信装置３０は、照明器具本体２０のうち筐体２４に取り付けられるが、筐体２４以外の部材に取り付けられてもよい。
【００１８】
第一無線通信装置３０は、具体的には、収容体３１と、凸部３２と、光反射体３３と、光電変換素子３４と、アンテナ素子３５と、制御部３６と、蓄電素子３７と、記憶部３８とを有する。第一無線通信装置３０は、照明用の光源を有しない。
【００１９】
収容体３１は、光電変換素子３４、アンテナ素子３５、制御部３６、蓄電素子３７、及び、記憶部３８を収容する、第一無線通信装置３０の外郭筐体である。収容体３１は、略直方体状であり、例えば、絶縁性を有する白色の樹脂材料によって形成される。
【００２０】
凸部３２は、筐体２４の凹部２４ａまたは凹部２４ｂに差し込まれる。つまり、凸部３２は、凹部２４ａまたは凹部２４ｂに挿抜自在に取り付けられる。凸部３２は、収容体３１から突出した部位であり、第一無線通信装置３０においては収容体３１と一体形成される。凸部３２は、収容体３１と別に形成されて収容体３１に取り付けられてもよい。凸部３２が収容体３１と一体形成される場合、光電変換素子３４、アンテナ素子３５、制御部３６、蓄電素子３７、及び、記憶部３８の一部は、凸部３２の内部に配置されてもよい。
【００２１】
なお、凸部３２は、第一無線通信装置３０の構造的な接続に用いられるが、電気的な接続には用いられない。つまり、凸部３２及び凹部２４ａ（または凹部２４ｂ）の構造的な接続により、第一無線通信装置３０が有する構成要素と照明器具本体２０が有する構成要素とが電気的に接続されるわけではない。
【００２２】
光電変換素子３４は、発電素子の一例であり、有機薄膜などを用いて光エネルギーを電気エネルギーに変換する素子である。光電変換素子３４は、受光面３４ａを有し、受光面３４ａが収容体３１の外部に露出するように収容体３１内に配置されている。なお、受光面３４ａが露出することは必須ではなく、受光面３４ａは、例えば、透光性を有するカバーなどで覆われていてもよい。受光面３４ａは、受光面３４ａに光が入射するように、収容体３１の外部から視認可能であればよい。言い換えれば、収容体３１は、光電変換素子３４を、光電変換素子３４の受光面３４ａが収容体の外部から視認可能な状態で収容すればよい。
【００２３】
なお、第一無線通信装置３０は、光電変換素子３４に代えて、ペルチェ効果を利用したペルチェ素子など、熱エネルギーを電気エネルギーに変換する熱電変換素子を発電素子として有してもよい。この場合、熱電変換素子は、光源２１の発光により生じる熱を電力に変換するとよい。
【００２４】
光反射体３３は、光を反射して受光面３４ａに入射させる。光反射体３３は、具体的には、収容体３１のうち凸部３２と反対側の面に立設した板状の部材である。光反射体３３は、例えば、白色の樹脂材料によって形成される。光反射体３３は、収容体３１と一体形成されてもよいし、収容体３１とは別に形成されて収容体３１に取り付けられてもよい。また、光反射体３３は、鏡面仕上げなどの表面処理がされていてもよい。
【００２５】
図５に示されるように、側面視（あるいは、平面視）において、受光面３４ａは、光源２１及び光反射体３３の間に位置する。これにより、光反射体３３は、光源２１が発する光を反射して受光面３４ａに入射させることができる。図５は、光反射体３３が、光源２１が発する光を反射して受光面３４ａに入射させる例を説明するための側面図である。
【００２６】
なお、光反射体３３が、光源２１が発する光を反射して受光面３４ａに入射させることは必須ではなく、光反射体３３は、光源２１が発する光以外の光を反射して受光面３４ａに入射させてもよい。例えば、照明器具１０が屋外に設置されるような場合、光反射体３３は、太陽光を反射して受光面３４ａに入射させてもよい。
【００２７】
蓄電素子３７は、第一無線通信装置３０の電源となる素子であり、光電変換素子３４（発電素子）によって発電された電力を蓄え、制御部３６などに給電する。蓄電素子３７は、例えば、リチウムイオン電池またはニッケル水素電池などの二次電池であるが、電気二重層キャパシタ（ＥＤＬＣ：Ｅｌｅｃｔｒｉｃ  Ｄｏｕｂｌｅ−Ｌａｙｅｒ  Ｃａｐａｃｉｔｏｒ）などのキャパシタ（コンデンサ）であってもよい。
【００２８】
アンテナ素子３５は、外部無線通信装置４０から第一制御信号を受信し、かつ、第二制御信号を第二無線通信装置２２に送信する。アンテナ素子３５は、具体的には、チップアンテナまたはパターンアンテナ等を含むアンテナモジュールであり、外部無線通信装置４０からキャリア周波数ｆ１の電波によって送信される第一制御信号を受信し、かつ、第二制御信号をキャリア周波数ｆ２の電波によって送信する。キャリア周波数は、言い換えれば、搬送波周波数である。なお、第一制御信号の受信用のアンテナと第二制御信号の送信用のアンテナとが別々のアンテナである場合には、アンテナ素子３５には、複数のアンテナが含まれる。
【００２９】
アンテナ素子３５の配置は特に限定されないが、第一無線通信装置３０においては、アンテナ素子３５は、光反射体３３の内部に収容される。言い換えれば、光反射体３３は、内部にアンテナ素子３５を収容する。上述のように、光反射体３３は、第一無線通信装置３０において室内側に突出する部分であるため、このような部分にアンテナ素子３５が収容されることにより、アンテナ素子３５の通信性能を確保しやすい効果が得られる。
【００３０】
制御部３６は、アンテナ素子３５によって受信される第一制御信号に応じて第二制御信号を無線送信する通信制御を行う。制御部３６は、第一制御信号から第二制御信号を生成し、生成した第二制御信号を、アンテナ素子３５を用いて無線送信する。第二制御信号は、例えば、第一制御信号のキャリア周波数が周波数ｆ１から周波数ｆ２に変換された制御信号である。制御部３６は、例えば、マイクロコンピュータによって実現されるが、プロセッサまたは専用回路によって実現されてもよい。
【００３１】
記憶部３８は、制御部３６の制御プログラムなどが記憶される記憶装置である。記憶部３８は、半導体メモリなどによって実現される。
【００３２】
以上説明したように、第一無線通信装置３０は、照明器具本体２０に着脱可能（着脱自在）に取り付けられる。これにより、外部無線通信装置４０及び第一無線通信装置３０の間の無線通信の性能が低い場合に、ユーザは、第一無線通信装置３０を外して別の場所に取り付けることで外部無線通信装置４０及び第一無線通信装置３０の間の無線通信の性能を向上させることができる。
【００３３】
また、第一無線通信装置３０が照明器具本体２０と別体である場合、第一無線通信装置３０への給電方法が課題となる。照明器具１０においては、第一無線通信装置３０が蓄電素子３７を有することによりこの課題が解決されている。
【００３４】
また、第一無線通信装置３０が光電変換素子３４を有し、光電変換素子３４が光源２１が発する光を電力（電気エネルギー）に変換し、変換によって得られる電力が蓄電素子３７に蓄えられれば、光源２１が発する光を利用して第一無線通信装置３０を効率的に動作させることができる。
【００３５】
なお、制御部３６は、間欠動作を行ってもよい。制御部３６は、具体的には、周期的にスリープ動作を行ってもよい。これにより、第一無線通信装置３０の消費電力をすることができる。なお、この場合、制御部３６がスリープ状態であるときに外部無線通信装置４０から送信された第一制御信号は無効となってしまう。このようなエラーの発生を抑制するために、外部無線通信装置４０は、第一制御信号を連続送信してもよいし、第一無線通信装置３０によって第一制御信号が受信されなかった場合に第一制御信号を再送信するリトライ処理を行ってもよい。つまり、制御部３６がスリープ状態であるときに生じるエラーは、通信規格で低減することが可能である。
【００３６】
［照明器具本体の構成］
次に、照明器具本体２０の構成について、主として図２及び図３を参照しながら説明する。照明器具本体２０は、照明器具１０のうち第一無線通信装置３０を除いた部分である。照明器具本体２０は、光源２１と、第二無線通信装置２２と、発光制御回路２３と、筐体２４と、透光カバー２５とを有する。照明器具本体２０へは、例えば、電力系統から交流電力が供給される。
【００３７】
第二無線通信装置２２は、第一無線通信装置３０によって無線送信された第二制御信号を受信する無線通信モジュールである。詳細については図示されないが、第二無線通信装置２２は、第一無線通信装置３０と同様に、第二制御信号を受信するアンテナ素子、第二制御信号に信号処理（例えば、復調処理等）を行う制御部、及び、制御部が実行する制御プログラムが記憶された記憶部などを有する。
【００３８】
発光制御回路２３は、第二無線通信装置２２に電気的に接続（有線接続）され、第二無線通信装置２２によって受信された第二制御信号に応じて光源２１の発光制御を行う。発光制御には、光源２１の点灯制御、光源２１の消灯制御、及び、光源２１の調光制御が含まれる。
【００３９】
発光制御回路２３は、第二制御信号が点灯を指示する信号である場合、電力系統から供給される交流電力を光源２１が発光するために適した直流電力に変換して出力する。また、発光制御回路２３は、第二制御信号が消灯を指示する信号である場合、光源２１への電力供給を停止する。また、発光制御回路２３は、第二制御信号が調光を指示する信号である場合、第二制御信号によって指示される調光レベルに応じた直流電力を光源２１に出力する。
【００４０】
発光制御回路２３は、具体的には、基板と、当該基板に実装された回路部品とからなる。回路部品には、例えば、電解コンデンサもしくはセラミックコンデンサ等の容量素子、抵抗素子、コイル素子、チョークコイル（チョークトランス）、ノイズフィルタ、ダイオード、スイッチング素子、または、集積回路素子（スイッチング素子の制御ＩＣ）等が含まれる。
【００４１】
光源２１は、長尺状の発光モジュールであり、例えば、白色光を発する。光源２１は、例えば、ＣＯＢ型の発光モジュールであり、長尺状の基板の長手方向に沿って配置された複数のＬＥＤチップが蛍光体含有樹脂によってライン状に封止されることによって形成される。光源２１は、基板上にＳＭＤ型のＬＥＤ素子が配置されたＳＭＤ型の発光モジュールであってもよい。なお、図示されないが、光源２１は、コネクタ付きのケーブル等によって発光制御回路２３と電気的に接続される。
【００４２】
光源２１が有する基板は、例えば、樹脂基板またはセラミック基板である。基板が電波の透過率が比較的高い材料によって形成されることにより、第一無線通信装置３０と第二無線通信装置２２との間の無線通信の性能を確保しやすい効果が得られる。
【００４３】
筐体２４は、第二無線通信装置２２、及び、発光制御回路２３を収容する長尺状の部材である。また、筐体２４は、光源２１の取り付け台及びヒートシンクとしても機能する。筐体２４は、例えば、アルミニウムなどの金属によって形成されるが、一部または全部が樹脂材料によって形成されてもよい。例えば、照明器具１０においては、筐体２４のうち、第二無線通信装置２２と対向する部分２４ｃ（筐体２４のうち第二無線通信装置２２と光源２１との間の部分２４ｃ）が樹脂材料によって形成されている。このように筐体２４のうち第二無線通信装置２２と対向する部分２４ｃが電波を通す樹脂材料によって形成されていれば、第一無線通信装置３０と第二無線通信装置２２との間の無線通信の性能を確保しやすい効果が得られる。なお、第二無線通信装置２２と対向する部分２４ｃは、樹脂材料以外の電波を透過率が比較的高い材料によって形成されてもよいし、開口部であってもよい。
【００４４】
筐体２４の長手方向における一方の端部には、凹部２４ａが設けられる。また、筐体２４の長手方向における他方の端部には、凹部２４ｂが設けられる。凹部２４ａ及び凹部２４ｂのそれぞれは、取付構造の一例であり、凹部２４ａ及び凹部２４ｂのそれぞれには、第一無線通信装置３０の凸部３２が挿入（取り付け）可能である。
【００４５】
透光カバー２５は、照明器具１０の外郭を構成し、かつ、光源２１からの光の取り出し口として機能する。透光カバー２５は、長尺状の部材であり、光源２１及び第一無線通信装置３０を覆う。透光カバー２５は、例えば、アクリル樹脂またはポリカーボネート樹脂等の透明樹脂材料であり、光源２１が発する光を透過させる。透光カバー２５は、透光性を有していればよく、ガラスなどで形成されてもよい。透光カバー２５は、電波を通す材料で形成される。
【００４６】
また、透光カバー２５は、光源２１が発する光を拡散する機能（光拡散機能）を有する。例えば、透光カバー２５は、シリカなどの光拡散材を含有することにより、光拡散機能を有する。なお、透光カバー２５は、光拡散機能を有していなくてもよい。
【００４７】
透光カバー２５が筐体２４の端部に取り付けられた第一無線通信装置３０を覆う構成では、光源２１の光が透光カバー２５の端部に届きにくいため、透光カバー２５の端部が暗くなってしまう場合がある。上述のように収容体３１及び光反射体３３が光反射性の比較的高い白色であれば、透光カバー２５の端部が暗くなってしまうことを抑制することができる。
【００４８】
なお、第一無線通信装置３０は、透光カバー２５に覆われていなくてもよい。つまり、凹部２４ａ及び凹部２４ｂは、透光カバーに覆われておらず、外部に露出していてもよい。この場合、ユーザは、透光カバー２５を外さずに第一無線通信装置３０を照明器具本体２０に着脱することができる。
【００４９】
以上説明したように、照明器具本体２０の筐体２４は、第一無線通信装置３０の凸部３２が着脱可能に取り付けられる取付構造である凹部を複数箇所に有する。これにより、ユーザは、第一無線通信装置３０の取り付け位置を複数箇所の中から選択することができる。つまり、ユーザは、第一無線通信装置３０の無線通信の性能が比較的良くなる位置に第一無線通信装置３０を取り付けることができる。
【００５０】
なお、取付構造は、照明器具本体２０が有する筐体２４以外の構成要素に設けられてもよい。また、照明器具本体２０は、取付構造を１箇所だけに有してもよい。このような場合も、第一無線通信装置３０が着脱可能に取り付けられていれば、ユーザは、第一無線通信装置３０を照明器具本体２０から外して天井または壁などの照明器具１０の外部に取り付けることで第一無線通信装置３０の無線通信の性能の向上を図ることができる。
【００５１】
また、照明器具本体２０は取付構造を有していなくてもよい。照明器具本体２０及び第一無線通信装置３０の少なくとも一方が第一無線通信装置３０を照明器具本体２０に着脱自在に取り付けるための取付構造を有していればよい。例えば、第一無線通信装置３０が取付構造として磁石を有していれば、ユーザは、第一無線通信装置３０を照明器具本体２０の金属製の部分に着脱することができる。つまり、照明器具本体２０が取付構造を有していなくても、ユーザは、第一無線通信装置３０の取り付け位置を変更することができる。
【００５２】
［キャリア周波数］
照明器具１０においては、第一制御信号のキャリア周波数ｆ１と第二制御信号のキャリア周波数ｆ２とは異なる。これにより、第一制御信号の搬送波と第二制御信号の搬送波との干渉（混信）を抑制することができる。
【００５３】
ここで、例えば、第一制御信号のキャリア周波数ｆ１が第二制御信号のキャリア周波数ｆ２よりも低ければ、第一制御信号のキャリア周波数ｆ１の空間電波損失を低減することにより、外部無線通信装置４０と第一無線通信装置３０との間の第一通信可能距離を第一無線通信装置３０と第二無線通信装置２２との間の第二通信可能距離よりも長くすることができる。
【００５４】
具体的には、例えば、キャリア周波数ｆ１は、９２０ＭＨｚ帯（Ｓｕｂ−ＧＨｚ帯）に属する周波数であり、キャリア周波数ｆ２は、２．４ＧＨｚ帯に属する周波数である。また、キャリア周波数ｆ１は、９２０ＭＨｚ帯に属する周波数であり、キャリア周波数ｆ２は、ミリ波帯（３０ＧＨｚ以上３００ＧＨｚ以下の周波数帯）に属する周波数であってもよい。
【００５５】
一方、第一通信可能距離を第二通信可能距離よりも短くするような場合には、第一制御信号のキャリア周波数ｆ１は、第二制御信号のキャリア周波数ｆ２よりも高くてもよい。ここで、第二制御信号の送信に、３１５ＭＨｚ帯の周波数の電波を用いた微弱無線などの近距離無線通信が用いられれば、第一制御信号のキャリア周波数ｆ１が第二制御信号のキャリア周波数ｆ２よりも高く、かつ、第一通信可能距離を第二通信可能距離よりも長くすることもできる。
【００５６】
この場合、例えば、キャリア周波数ｆ１は、９２０ＭＨｚ帯に属する周波数であり、キャリア周波数ｆ２は、３１５ＭＨｚ帯に属する周波数である。この場合、３１５ＭＨｚ帯の周波数の電波を用いた微弱無線などの近距離無線通信は、電波の到達範囲が狭いため、第一制御信号の搬送波と第二制御信号の搬送波との干渉が抑制される。なお、このような近距離無線通信は、複数の照明器具１０の中から特定の照明器具１０を外部無線通信装置４０とペアリングする際に有効である。
【００５７】
また、第一制御信号は、赤外線または可視光によって送信され、第二制御信号は、電波によって送信されてもよい。これにより、第二制御信号の搬送波への電波の干渉を抑制することができる。
【００５８】
［効果等］
以上説明したように、照明器具１０は、照明器具本体２０と、照明器具本体２０の外部から無線送信される第一制御信号を受信し、第一制御信号に応じて第二制御信号を無線送信する第一無線通信装置３０とを備える。照明器具本体２０は、光源２１と、無線送信された第二制御信号を受信する第二無線通信装置２２と、第二無線通信装置２２に電気的に接続され、第二無線通信装置２２によって受信された第二制御信号に応じて光源２１の発光制御を行う発光制御回路２３と、第二無線通信装置２２、及び、発光制御回路２３を収容する筐体２４とを有する。第一無線通信装置３０は、照明器具本体２０に取り付けられる。
【００５９】
これにより、ユーザによって第一無線通信装置３０の取り付け位置が変更されれば、第一無線通信装置３０の無線通信の性能が向上され得る。つまり、無線通信の性能の向上が可能な照明器具１０が実現される。
【００６０】
また、第一無線通信装置３０は、照明器具本体２０に着脱可能に取り付けられてもよい。
【００６１】
これにより、ユーザが第一無線通信装置３０を着脱し、第一無線通信装置３０の取り付け位置が変更されれば、第一無線通信装置３０の無線通信の性能が向上され得る。つまり、無線通信の性能の向上が可能な照明器具１０が実現される。
【００６２】
また、照明器具本体２０は、第一無線通信装置３０が着脱可能に取り付けられる取付構造を複数箇所に有してもよい。例えば、照明器具本体２０は、凹部２４ａ及び凹部２４ｂを取付構造として有している。
【００６３】
これにより、ユーザは、第一無線通信装置３０の取り付け位置を複数箇所の中から選択することができる。つまり、ユーザは、第一無線通信装置３０の無線通信の性能が比較的良くなる位置に第一無線通信装置３０を取り付けることができる。
【００６４】
また、第一無線通信装置３０は、第一無線通信装置３０の電源となる蓄電素子３７を有してもよい。
【００６５】
これにより、蓄電素子３７によって第一無線通信装置３０を動作させることができる。
【００６６】
また、第一無線通信装置３０は、発電素子を有し、蓄電素子３７は、発電素子によって発電された電力を蓄えてもよい。
【００６７】
これにより、発電素子は、発電電力によって蓄電素子３７を充電することができる。
【００６８】
また、発電素子は、光電変換素子３４であってもよい。
【００６９】
これにより、光電変換素子３４は、光エネルギーによって蓄電素子３７を充電することができる。
【００７０】
また、第一無線通信装置３０は、光電変換素子３４を、光電変換素子３４の受光面３４ａが外部から視認可能な状態で収容する収容体３１を有してもよい。
【００７１】
これにより、光電変換素子３４を、光電変換素子３４が発電可能な状態を維持したまま収容することができる。
【００７２】
また、第一無線通信装置３０は、光を反射して受光面３４ａに入射させる光反射体３３を有してもよい。
【００７３】
これにより、光反射体３３は、光の反射によって光電変換素子３４の発電量を増やすことができる。
【００７４】
また、第一無線通信装置３０は、アンテナ素子３５を有し、光反射体３３は、収容体３１に立設された板状の部材であり、内部にアンテナ素子３５を収容してもよい。
【００７５】
これにより、収容体３１から突出する部分にアンテナ素子３５が収容されるため、アンテナ素子３５の通信性能を確保しやすい効果が得られる。
【００７６】
また、光反射体３３は、光源２１が発する光を反射して受光面３４ａに入射させる。
【００７７】
これにより、光電変換素子３４は、光源２１が発する光を利用して蓄電素子３７を充電することができる。
【００７８】
また、発電素子は、熱電変換素子であってもよい。
【００７９】
これにより、熱電変換素子は、熱エネルギーによって蓄電素子３７を充電することができる。
【００８０】
また、第一制御信号のキャリア周波数ｆ１と第二制御信号のキャリア周波数ｆ２とは異なってもよい。
【００８１】
これにより、第一制御信号の搬送波と第二制御信号の搬送波との干渉（混信）を抑制することができる。
【００８２】
また、第一制御信号のキャリア周波数ｆ１は、第二制御信号のキャリア周波数ｆ２よりも低くてもよい。
【００８３】
これにより、外部無線通信装置４０と第一無線通信装置３０との間の第一通信可能距離を、第一無線通信装置３０と第二無線通信装置２２との間の第二通信可能距離よりも長くすることができる。
【００８４】
（実施の形態２）
［実施の形態２に係る照明器具の構成］
実施の形態１では、蓄電素子３７は、光電変換素子３４または熱電変換素子が発電した電力を蓄えた。しかしながら、蓄電素子３７は、照明器具本体２０から非接触給電される電力を蓄えてもよい。実施の形態２では、このような実施の形態２に係る照明器具について説明する。図６は、実施の形態２に係る照明器具の機能構成を示すブロック図である。
【００８５】
なお、以下の実施の形態２では、実施の形態１との相違点を中心に説明が行われ、既出事項については説明が省略される。
【００８６】
図６に示されるように、実施の形態２に係る照明器具１０ａは、照明器具本体２０ａと、第一無線通信装置３０ａとを備える。照明器具本体２０ａは、非接触給電装置２６を有する。第一無線通信装置３０ａは、非接触給電装置２６から給電を受けるための受電素子３９を有する。
【００８７】
非接触給電の方式は、電波方式、磁界共鳴方式、または電磁誘導方式である。電波方式の非接触給電が行われる場合、受電素子３９は受電用のアンテナ素子であり、非接触給電装置２６は、給電用のアンテナ素子を含む。この場合、非接触給電用の信号の周波数は、キャリア周波数ｆ１及びキャリア周波数ｆ２と干渉しない周波数帯に属するとよい。
【００８８】
また、磁界共鳴方式または電磁誘導方式の非接触給電が行われる場合、受電素子３９は受電用のコイル素子であり、非接触給電装置２６は、給電用のコイル素子を含む。
【００８９】
非接触給電装置２６は、照明器具１０ａの動作中に常時給電を行ってもよいが、照明器具１０ａにおいては、非接触給電装置２６は、例えば、蓄電素子３７の蓄電量（例えば、二次電池の端子間電圧）が所定値以下になった場合のみ給電を行う。具体的には、第一無線通信装置３０ａの制御部３６は、蓄電素子３７の蓄電量を監視し、蓄電量が所定値以下になったと判定した場合、非接触給電装置２６に非接触給電を指示する第二制御信号を、アンテナ素子３５を用いて送信する。このような第二制御信号が第二無線通信装置２２によって受信されることにより、蓄電量が少ない場合にのみ選択的に給電が行われる。
【００９０】
［実施の形態２の効果等］
以上説明したように、照明器具１０ａの照明器具本体２０ａは、非接触給電装置２６を有する。第一無線通信装置３０ａは、非接触給電装置２６から給電を受けるための受電素子３９を有し、蓄電素子３７は、受電素子３９を介して得られる電力を蓄える。
【００９１】
これにより、照明器具１０ａにおいて、非接触給電により第一無線通信装置３０ａを動作させることができる。
【００９２】
（実施の形態３）
［実施の形態３に係る照明器具の第一の例］
実施の形態１及び２では、照明器具１０（または照明器具１０ａ）は、長尺状の室内用照明器具であるとして説明されたが、本発明は、その他の形状の照明器具として実現されてもよいし、その他の用途の照明器具として実現されてもよい。実施の形態３では、このようなその他の態様の照明器具について説明する。図７は、実施の形態３に係る照明器具の第一の例を示す図（分解斜視図）である。
【００９３】
図７に示される照明器具１１０は、平面視形状が矩形（略正方形）の室内用照明器具である。照明器具１１０は、照明器具本体１２０と、第一無線通信装置３０とを備える。照明器具本体１２０は、光源１２１と、第二無線通信装置１２２と、発光制御回路１２３と、第二無線通信装置１２２、及び、発光制御回路１２３を収容する筐体１２４とを有する。第二無線通信装置１２２は、無線送信された第二制御信号を受信する。発光制御回路１２３は、第二無線通信装置１２２に電気的に接続され、第二無線通信装置１２２によって受信された第二制御信号に応じて光源１２１の発光制御を行う。第一無線通信装置３０は、照明器具本体１２０の凹部１２４ａに着脱可能に取り付けられる。
【００９４】
このような照明器具１１０においても、ユーザによって第一無線通信装置３０の位置が変更されれば、第一無線通信装置３０の無線通信の性能が向上され得る。
【００９５】
なお、照明器具１１０は、照明器具１０または照明器具１０ａと同一の第一無線通信装置３０を備えている。つまり、第一無線通信装置３０は、照明器具１１０と照明器具１０（または照明器具１０ａ）との間で共通化されている。
【００９６】
このように、第一無線通信装置３０が共通化されれば、照明器具の新機種の開発において、第一無線通信装置３０の部分を新たに設計しなくてよいため、設計の効率化及び開発コストの低減が実現される。
【００９７】
［実施の形態３に係る照明器具の第二の例］
図８及び図９は、実施の形態３に係る照明器具の第二の例を示す図（斜視図）である。図８及び図９に示される照明器具２１０は、体育館またはコンサートホールなどの天井に取り付けられる高所用照明器具である。
【００９８】
照明器具２１０は、照明器具本体２２０と、第一無線通信装置２３０とを備える。照明器具本体２２０は、光源２２１と、第二無線通信装置２２２と、発光制御回路２２３と、第二無線通信装置２２２、及び、発光制御回路２２３を収容する筐体２２４とを有する。第二無線通信装置２２２は、無線送信された第二制御信号を受信する。発光制御回路２２３は、第二無線通信装置２２２に電気的に接続され、第二無線通信装置２２２によって受信された第二制御信号に応じて光源２２１の発光制御を行う。また、照明器具本体２２０は、照明器具２１０を天井に取り付けるための第一フレーム２２７ａと、２つの灯具２２８を保持する第二フレーム２２７ｂとを有する。
【００９９】
第一無線通信装置２３０は、照明器具本体２２０の外部から無線送信される第一制御信号を受信し、第一制御信号に応じて第二制御信号を無線送信する。また、第一無線通信装置２３０は、照明器具本体２２０に着脱可能に取り付けられる。第一無線通信装置２３０は、取付構造として磁石を有し、例えば、図８では、第一無線通信装置２３０は、照明器具本体２２０のうち第一フレーム２２７ａに取り付けられている。一方、図９では、第一無線通信装置２３０は、照明器具本体２２０のうち第二フレーム２２７ｂに取り付けられている。
【０１００】
このような照明器具２１０においても、ユーザによって第一無線通信装置２３０の位置が変更されれば、第一無線通信装置２３０の無線通信の性能が向上され得る。
【０１０１】
［実施の形態３に係る照明器具の第三の例］
図１０は、実施の形態３に係る照明器具の第三の例を示す図（側面図）である。図１０に示される照明器具３１０は、屋外で用いられる道路灯である。
【０１０２】
照明器具３１０は、照明器具本体３２０と、第一無線通信装置３３０とを備える。照明器具３１０は、屋外で用いられるため、照明器具本体３２０及び第一無線通信装置３３０のそれぞれは防水構造を有する。
【０１０３】
照明器具本体３２０は、光源３２１と、第二無線通信装置３２２と、発光制御回路３２３と、第二無線通信装置３２２、及び、発光制御回路３２３を収容する筐体３２４とを有する。第二無線通信装置３２２は、無線送信された第二制御信号を受信する。発光制御回路３２３は、第二無線通信装置３２２に電気的に接続され、第二無線通信装置３２２によって受信された第二制御信号に応じて光源３２１の発光制御を行う。
【０１０４】
第一無線通信装置３３０は、照明器具本体３２０の外部から無線送信される第一制御信号を受信し、第一制御信号に応じて第二制御信号を無線送信する。また、第一無線通信装置３３０は、照明器具本体３２０に着脱可能に取り付けられる。第一無線通信装置３３０は、取付構造として磁石を有し、例えば、図１０では、筐体３２４に取り付けられている。
【０１０５】
このような照明器具３１０においても、ユーザによって第一無線通信装置３３０の位置が変更されれば、第一無線通信装置３３０の無線通信の性能が向上され得る。また、照明器具３１０の外部に取り付けられた第一無線通信装置３３０は、上述の第一無線通信装置３０と同様に自身が電源を有しているため、照明器具本体３２０からの給電が不要である。つまり、照明器具本体３２０から第一無線通信装置３３０への給電用ケーブルを引き出す必要が無いため、照明器具本体３２０の防水機構が簡素化される。
【０１０６】
以上、実施の形態３に係る照明器具について説明した。なお、本発明は、これまで説明された照明器具以外の照明器具として実現されてもよい。例えば、本発明は、スポットライトまたはダウンライト等として実現されてもよい。また、本発明は、直接照明用の照明器具として実現されてもよいし、間接照明用の照明器具として実現されてもよい。
【０１０７】
（その他の実施の形態）
以上、実施の形態について説明したが、本発明は、このような実施の形態に限定されるものではない。
【０１０８】
例えば、上記実施の形態では、取付構造として凹凸構造及び磁石が例示されたが、取付構造の具体的態様は、特に限定されない。例えば、取付構造は、係止爪またはフック等を用いた係止構造であってもよいし、ネジ及びネジ穴を用いた取付構造であってもよい。
【０１０９】
また、上記実施の形態で説明した無線通信の通信規格については特に限定されるものではない。無線通信の通信規格としては、特定小電力無線、Ｚｉｇｂｅｅ（登録商標）、Ｂｌｕｅｔｏｏｔｈ（登録商標）、または、無線ＬＡＮ（Ｌｏｃａｌ  Ａｒｅａ  Ｎｅｔｗｏｒｋ）などが例示される。
【０１１０】
また、上記実施の形態では、光源として、ＬＥＤチップを用いた発光モジュールが用いられたが、光源の態様は特に限定されるものではない。例えば、光源には、ＬＥＤチップを用いた発光モジュールに代えて、蛍光管、メタルハライドランプ、ナトリウムランプ、ハロゲンランプ、キセノンランプ、または、ネオン管等が用いられてもよい。また、光源には、無機エレクトロルミネッセンス、有機エレクトロルミネッセンス、ケミルミネッセンス（化学発光）、または、半導体レーザー等が用いられてもよい。
【０１１１】
また、上記実施の形態において、外部無線通信装置、第一無線通信装置、第二無線通信装置、及び、非接触給電装置などの各装置が有する制御部は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１１２】
また、制御部は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【０１１３】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１１４】
１０、１０ａ、１１０、２１０、３１０  照明器具
２０、２０ａ、１２０、２２０、３２０  照明器具本体
２１、１２１、２２１、３２１  光源
２２、１２２、２２２、３２２  第二無線通信装置
２３、１２３、２２３、３２３  発光制御回路
２４、１２４、２２４、３２４  筐体
２４ａ、２４ｂ、１２４ａ  凹部（取付構造）
２６  非接触給電装置
３０、３０ａ、２３０、３３０  第一無線通信装置
３１  収容体
３３  光反射体
３４  光電変換素子
３４ａ  受光面
３７  蓄電素子
３９  受電素子
【図１】
2018185934.tif 000003
【図２】
2018185934.tif 000004
【図３】
2018185934.tif 000005
【図４】
2018185934.tif 000006
【図５】
2018185934.tif 000007
【図６】
2018185934.tif 000008
【図７】
2018185934.tif 000009
【図８】
2018185934.tif 000010
【図９】
2018185934.tif 000011
【図１０】
2018185934.tif 000012